(57)【特許請求の範囲】
【請求項１】
蒸気圧縮式冷凍サイクルを利用し、空気中に含まれる水分を結露させて除湿する除湿機であって、
同一風路に配置される蒸発器（３１）および放熱器（３７）と、
前記蒸発器（３１）で生じた結露水を前記放熱器（３７）に向けて流す導水路（５０）と、
前記導水路（５０）を経た前記結露水を貯める貯水タンク（６１）と、
を備え、
前記導水路（５０）は、前記蒸発器（３１）で生じた前記結露水を前記放熱器（３７）の一部に接触させ、前記結露水が前記貯水タンク（６１）に貯められる前に、前記結露水の温度を上昇させる、
除湿機（１０）。
【請求項２】
前記蒸発器（３１）の下面に対峙する第１水受面（５０ａａ）と、前記放熱器（３７）の下面に対峙する第２水受面（５０ａｂ）とを有するドレンパン（５２）をさらに備え、
前記導水路（５０）は前記第１水受面（５０ａａ）から前記第２水受面（５０ａｂ）に至る経路を含む、
請求項１に記載の除湿機（１０）。
【請求項３】
前記導水路（５０）は、前記放熱器（３７）の下方、又は前記放熱器（３７）を挟んで前記蒸発器（３１）とは反対側の斜め下方に前記結露水を排水する、
請求項１に記載の除湿機（１０）。
【請求項４】
前記第２水受面（５０ａｂ）のうち前記放熱器（３７）に最も近い面と前記放熱器（３７）との高さ隙間が、５ｍｍ以下である、
請求項２に記載の除湿機（１０）。
【請求項５】
前記導水路（５０）は、前記放熱器（３７）の過冷却冷媒が流れる部分へ前記結露水を導く、
請求項１に記載の除湿機（１０）。
【発明の詳細な説明】
【技術分野】
【０００１】
本発明は、除湿機、特に蒸気圧縮式冷凍サイクルを利用した除湿機に関する。
【背景技術】
【０００２】
蒸気圧縮式冷凍サイクルを利用する除湿機として、例えば、特許文献１（実開平５−７９３２５号公報）には、ファンによって発生する空気流れの中に蒸発器および凝縮器を蒸発器が凝縮器の上流側となるように並べて配置したものが開示されている。そして、蒸発器および凝縮器の下方には、断面が漏斗状のドレンパンが配置されている。
【０００３】
蒸発器を通過する空気流は、蒸発器内を流れる冷媒と熱交換することによって冷却され、空気流に含まれる水分が凝縮して蒸発器に付着する、いわゆる結露水が発生する。この結露水は、ドレンパン上に落下したのちドレンパンの下方に配置された貯水タンクに回収されていく。
【発明の概要】
【発明が解決しようとする課題】
【０００４】
しかしながら、特許文献１に開示されている除湿機では、蒸発器で生じた結露水が低温のまま貯水タンクに貯められるので、貯水タンクの壁面が冷却され、その壁面が結露する可能性がある。
【０００５】
本発明の課題は、結露水が貯水タンクに貯められる前に、結露水の温度を上昇させて貯水タンク壁面の結露を抑制する除湿器を提供することにある。
【課題を解決するための手段】
【０００６】
本発明の第１観点に係る除湿機は、蒸気圧縮式冷凍サイクルを利用し、空気中に含まれる水分を結露させて除湿する除湿機であって、蒸発器および放熱器と、導水路と、貯水タンクとを備えている。蒸発器および放熱器は、同一風路に配置されている。導水路は、蒸発器で生じた結露水を放熱器に向けて流す。貯水タンクは、導水路を経た結露水を貯める。導水路は、蒸発器で生じた結露水を放熱器の一部に接触させ、結露水が貯水タンクに貯められる前に、結露水の温度を上昇させる。
【０００７】
この除湿機では、結露水が導水路に導かれて、一旦、放熱器に向かいその一部と接触して温度上昇した後、貯水タンクに貯まるので、貯水タンクの壁面がその周囲の露点温度以下になることが防止される。その結果、貯水タンクの壁面に結露する事態が回避される。
【０００８】
本発明の第２観点に係る除湿機は、第１観点に係る除湿機であって、蒸発器の下面に対峙する第１水受面と、放熱器の下面に対峙する第２水受面とを有するドレンパンをさらに備えている。導水路は第１水受面から第２水受面に至る経路を含んでいる。
【０００９】
この除湿機では、第１水受面に落下した結露水は第２水受面上で放熱器の一部と接触して温度上昇する。したがって、第２水受面も温度上昇し第１水受面に伝熱されるので、ドレンパンの結露も防止される。
【００１０】
本発明の第３観点に係る除湿機は、第１観点に係る除湿機であって、導水路が、放熱器の下方、又は放熱器を挟んで蒸発器とは反対側の斜め下方に結露水を排水する。
【００１１】
この除湿機では、放熱器の下方、又は放熱器を挟んで蒸発器とは反対側の斜め下方に結露水を排水することによって、蒸発器で生じた結露水は必然的に放熱器へ向うことになる。
【００１２】
本発明の第４観点に係る除湿機は、第２観点に係る除湿機であって、第２水受面のうち放熱器に最も近い面と放熱器との高さ隙間が、５ｍｍ以下である。
【００１３】
この除湿機では、ドレンパンと放熱器の下面との高さ距離を規定することによって、ドレンパンで受けた結露水を放熱器の一部と確実に接触させることができる。
【００１４】
本発明の第５観点に係る除湿機は、第１観点に係る除湿機であって、導水路が、放熱器の過冷却冷媒が流れる部分へ結露水を導く。
【００１５】
この除湿機では、結露水と放熱器の過冷却冷媒との熱交換によって、結露水はその周囲の露点温度以上に温められ、さらに冷凍サイクルの効率も向上する。
【発明の効果】
【００１６】
本発明の第１観点に係る除湿機では、結露水が導水路に導かれて、一旦、放熱器に向かいその一部と接触して温度上昇した後、貯水タンクに貯まるので、貯水タンクの壁面がその周囲の露点温度以下になることが防止される。その結果、貯水タンクの壁面に結露する事態が回避される。
【００１７】
本発明の第２観点に係る除湿機では、第１水受面に落下した結露水は第２水受面上で放熱器の一部と接触して温度上昇する。したがって、第２水受面も温度上昇し第１水受面に伝熱されるので、ドレンパンの結露も防止される。
【００１８】
本発明の第３観点に係る除湿機では、放熱器の下方、又は放熱器を挟んで蒸発器とは反対側の斜め下方に結露水を排水することによって、蒸発器で生じた結露水は必然的に放熱器へ向うことになる。
【００１９】
本発明の第４観点に係る除湿機では、ドレンパンと放熱器の下面との高さ距離を規定することによって、ドレンパンで受けた結露水を放熱器の一部と確実に接触させることができる。
【００２０】
本発明の第５観点に係る除湿機では、結露水と放熱器の過冷却冷媒との熱交換によって、結露水はその周囲の露点温度以上に温められ、さらに冷凍サイクルの効率も向上する。
【図面の簡単な説明】
【００２１】
【図１】本発明の一実施形態に係る除湿機の前面に向かって右上方から見たときの当該除湿機の外観斜視図。
【図２】図１の除湿機から貯水タンクを取り外したときの当該除湿機の外観斜視図。
【図３】除湿機の縦断面図。
【図４】除湿機内に構成されている蒸気圧縮式冷凍サイクルの冷媒回路図。
【図５】図３のＡ−Ａ線における除湿機の部分縦断面図。
【図６】第２ドレンパンの斜視図。
【図７】第２変形例に係る除湿機の縦断面図。
【発明を実施するための形態】
【００２２】
以下、図面を参照しながら、本発明の実施形態について説明する。なお、以下の実施形態は、本発明の具体例であって、本発明の技術的範囲を限定するものではない。
【００２３】
（１）除湿機１０の構成
（１−１）除湿機１０の外観構造
図１は、本発明の一実施形態に係る除湿機１０の前面に向かって右上方から見たときの当該除湿機１０の外観斜視図である。また、図２は、図１の除湿機１０から貯水タンク６０を取り外したときの当該除湿機１０の外観斜視図である。図１及び図２において、除湿機１０の外観構造は、本体ケーシング１１によって形成されている。
【００２４】
本体ケーシング１１は、吸込口１１１と、吹出口１１３と、操作部１１５、タンク挿入口１１７を有している。空気を内部に取り込むための吸込口１１１は、本体ケーシング１１の左右両側面の前方に設けられている。
【００２５】
ケーシング１１の天面は前半分が水平面、後半分が傾斜面となるように成形されており、操作部１１５がその水平面に設けられ、空気を外部に吹き出すための吹出口１１３がその傾斜面に設けられている。
【００２６】
操作部１１５には、電源Ｏｎ／ＯｆｆボタンＰＢ、除湿運転ボタンＤＢなど各種操作ボタンが設けられている。
【００２７】
タンク挿入口１１７は、本体ケーシング１１の側面下部に設けられており、貯水タンク６０はタンク挿入口１１７を介して本体ケーシング１１に着脱される。
【００２８】
（１−２）貯水タンク６０の構造
図２に示すように、貯水タンク６０は、容器６１、蓋６３、取っ手６５及び引き手６７から成る。容器６１は、本体ケーシング１１に挿入されるときの先頭となる一部分が船先のように細く成形されている。
【００２９】
また、本体ケーシング１１に挿入されたときに本体ケーシング１１の側面と同一面上に位置する後部壁に、引き手６７が設けられている。そして、容器６１の先頭部と後部壁との中間位置あたりに、取っ手６５の両端が回転自在に取り付けられている。
【００３０】
蓋６３は容器６１の開口を覆うように成形されており、図３に示すように、蓋６３の縁は容器６１の開口縁に嵌合して閉じるために、断面形状が逆Ｕ字状を成し、鉛直方向に突出している。
【００３１】
また、蓋６３には、入水口６３ａ及び排水扉６３ｂが設けられている。入水口６３ａは、蓋６３のほぼ中央に設けられている。入水口６３ａの周囲は、入水口６３ａに向って高さが徐々に低くなるように傾斜しており、蓋６３上に滴下した水はその傾斜により入水口６３ａに向って流れる。排水扉６３ｂは、容器６１の先頭部に対応する位置にヒンジ式で開閉可能に連結されている。
【００３２】
（１−３）除湿機１０の内部構造
図３は、除湿機１０の縦断面図である。図３において、除湿機１０は蒸気圧縮式冷凍サイクルを利用し、空気中に含まれる水分を結露させて除湿する。除湿機１０では、ファン４０によって吸込口１１１から空気が吸い込まれ吹出口１１３から吹き出されるまでの風路が形成される。ファン４０は、ファンモータ４１と、回転中心がファンモータ４１の回転軸と同軸上に固定されている羽根部４３とで構成されている。
【００３３】
風路の途中には、フィルタ２１、蒸発器３１及び凝縮器３７が風路の上流から下流に向って順に並んで配置されている。吸込口１１１から吸込まれた空気は、フィルタ２１で塵埃や臭い成分などが取り除かれた後、蒸発器３１で水分が除去され、凝縮器３７を通過し、ファン４０によって吹出口１１３から吹き出される。
【００３４】
（２）詳細構成
（２−１）除湿機１０の冷凍装置１００
図４は、除湿機１０内に構成されている冷凍装置１００の冷媒回路図である。図４において、冷凍装置１００は、圧縮機１３、凝縮器３７、膨張弁１５、蒸発器３１、及びアキュムレータ１７を備えており、圧縮機１３、凝縮器３７、膨張弁１５、蒸発器３１、及びアキュムレータ１７の順に冷媒が流れる。なお、冷媒としては、Ｒ１３４ａなどが採用される。
【００３５】
冷媒は蒸発器３１を流れる際に蒸発器３１の外側を通過する空気から熱を奪い蒸発するので、蒸発器３１の表面は露点温度以下に冷却され、そこを通過する空気中の水分が蒸発器３１の表面に結露する。この原理によって、除湿機１０が空気中から水分を除去して除湿することができる。
【００３６】
（２−１−１）圧縮機１３、膨張弁１５およびアキュムレータ１７
圧縮機１３は、ガス冷媒を吸入して圧縮する。圧縮機１３の吸込口手前には、アキュムレータ１７が配置されており、圧縮機１３に液冷媒が直に吸い込まれないようになっている。
【００３７】
膨張弁１５は、冷媒圧力や冷媒流量の調節を行うために、蒸発器３１と凝縮器３７との間に接続され、冷媒を膨張させる機能を有している。
【００３８】
（２−１−２）蒸発器３１
蒸発器３１は、内部を流れる冷媒を蒸発させることによって空気を冷却する熱交換器であり、伝熱フィン３１１と伝熱管３１３とを備えている。伝熱フィン３１１は、薄いアルミニウム製の平板であり、一枚の伝熱フィン３１１には複数の貫通孔が形成されている。伝熱管３１３は、伝熱フィン３１１の貫通孔に挿入される直管３１３ａと、隣り合う直管３１３ａの端部同士を連結する第１Ｕ字管３１３ｂ及び第２Ｕ字管３１３ｃとから成る。
【００３９】
直管３１３ａは、伝熱フィン３１１の貫通孔に挿入された後、拡管機によって拡管加工され、伝熱フィン３１１と密着する。直管３１３ａと第１Ｕ字管３１３ｂとは一体に形成されており、第２Ｕ字管３１３ｃは、直管３１３ａが伝熱フィン３１１の貫通孔に挿入され拡管加工された後、溶接などによって直管３１３ａの端部に連結される。
【００４０】
（２−１−３）凝縮器３７
凝縮器３７は、空気との熱交換によって内部を流れる冷媒を凝縮させる熱交換器であり、伝熱フィン３７１と伝熱管３７３とを備えている。伝熱フィン３７１は、薄いアルミニウム製の平板であり、一枚の伝熱フィン３７１には複数の貫通孔が形成されている。伝熱管３７３は、伝熱フィン３７１の貫通孔に挿入される直管３７３ａと、隣り合う直管３７３ａの端部同士を連結する第１Ｕ字管３７３ｂ及び第２Ｕ字管３７３ｃとから成る。
【００４１】
直管３７３ａは、伝熱フィン３７１の貫通孔に挿入された後、拡管機によって拡管加工され、伝熱フィン３７１と密着する。直管３７３ａと第１Ｕ字管３７３ｂとは一体に形成されており、第２Ｕ字管３７３ｃは、直管３７３ａが伝熱フィン３７１の貫通孔に挿入され拡管加工された後、溶接などによって直管３７３ａの端部に連結される。
【００４２】
（２−２）第１ドレンパン５１
図５は、図３のＡ−Ａ線における除湿機１０の部分縦断面図である。図５において、除湿機１０は、第１ドレンパン５１および第２ドレンパン５２をさらに備えている。第１ドレンパン５１は、中央下部に設けられた排水口５１０と、排水口５１０から左右に離れた両端部から排水口５１０に向って下方に傾斜するＶ字状の第１流路５１ａを有している。
【００４３】
排水口５１０は、図３に示すように貯水タンク６０の蓋６３の上方に臨んでおり、第１流路５１ａ上に落下した結露水はその傾斜面に沿って降下し、排水口５１０を通って蓋６３上に落下する。
【００４４】
（２−３）第２ドレンパン５２
第２ドレンパン５２は、図３に示すように、第１ドレンパン５１の上方、且つ蒸発器３１および凝縮器３７の下方に配置されている。
【００４５】
図６は、第２ドレンパン５２の斜視図である。図６において、第２ドレンパン５２は、蒸発器３１の下端と、凝縮器３７の下端のうちの蒸発器３１寄りの下端に近接する導水面５０ａを有している。具体的構成としては、導水面５０ａは、蒸発器３１の下端に対峙する第１水受面５０ａａと、凝縮器の下端に対峙する第２水受面５０ａｂとを有している。また、導水面５０ａの背部（蒸発器３１側）と左右の側部には縦壁５２１，５２３，５２５が設けられている。
【００４６】
第１水受面５０ａａに落下した結露水は第２水受面５０ａｂ上で凝縮器３７の一部と接触して温度上昇する。したがって、第２水受面５０ａｂも温度上昇し第１水受面５０ａａに伝熱されるので、第２ドレンパン５２の縦壁５２１，５２３，５２５の結露も防止される。
【００４７】
また、縦壁５２１，５２３，５２５は、導水面５０ａに落下した結露水がその背部および左右の側部から流出することを防止し、第１水受面５０ａａ、第２水受面５０ａｂ、及び第２水受面５０ａｂの後方に設けられた第２流路５２ａへ導く。
【００４８】
第２流路５２ａは、その中央を頂点として左右に離れた両端部に向って下方に傾斜する逆Ｖ字状に成形されており、導水面５０ａよりも低い高さ位置に設けられている。
【００４９】
また、図３に示すように、導水面５０ａは蒸発器３１側から凝縮器３７側に向って徐々に高さ位置が低くなるように傾斜しているので、蒸発器３１から導水面５０ａ上に落下した結露水は凝縮器３７側に流れて凝縮器３７の下端に接触したのち下方の第２流路５２ａへ流れ落ちていく。
【００５０】
除湿機１０では、導水面５０ａに落下した結露水は、導水面５０ａ、第２流路５２ａ、第１流路５１ａ及び排水口５１０の順で流れる。この結露水の流れの経路を導水路５０という。図３に示すように、導水路５０は、凝縮器３７の下方、又は凝縮器３７を挟んで蒸発器３１とは反対側の斜め下方に結露水を排水する経路構成であるので、蒸発器３１で生じた結露水は必然的に凝縮器３７へ向うことになる。
【００５１】
（３）除湿機１０の動作
（３−１）送風運転
除湿機１０が運転を停止しているとき、ユーザーがその操作部１１５の電源Ｏｎ／ＯｆｆボタンＰＢを押すことによって、ファン４０のファンモータ４１が駆動し、羽根部４３が回転する。
【００５２】
羽根部４３の回転によって、図３に示すように、吸込口１１１から空気が吸い込まれ、フィルタ２１、蒸発器３１及び凝縮器３７の順で流れていく空気流Ｆが発生する。空気流Ｆは羽根部４３の中心に吸い込まれたのち、遠心方向に吹き出され吹出口１１３から出て行く。
【００５３】
除湿機１０の製品出荷後の初期状態では、電源Ｏｎ／ＯｆｆボタンＰＢを押すだけでは、ファン４０が稼働するだけである送風運転が開始される。
【００５４】
（３−２）除湿運転
送風運転状態の除湿機１０に対し、ユーザーが操作部１１５の除湿運転ボタンＤＢを押すと、冷凍装置１００の圧縮機１３が起動し、圧縮機１３、凝縮器３７、膨張弁１５、蒸発器３１、及びアキュムレータ１７の順に冷媒が循環するようになる。
【００５５】
図４において、低圧の冷媒は、圧縮機１３に吸入され、高圧に圧縮された後に吐出される。圧縮機１３から吐出された高圧の冷媒は凝縮器３７に送られる。凝縮器３７に送られた高圧の冷媒は、そこで空気流Ｆと熱交換を行って凝縮する。凝縮器３７において凝縮した高圧の冷媒は、液冷媒となって膨張弁１５に送られて低圧に減圧される。
【００５６】
膨張弁１５で減圧された低圧の冷媒は蒸発器３１に入る。蒸発器３１に入った低圧の冷媒は、そこで空気流Ｆと熱交換を行って蒸発する。蒸発器３１において蒸発した低圧の冷媒は、アキュムレータ１７で気液分離された後、再び圧縮機１３に吸入される。
【００５７】
上記のように、冷凍装置１００が稼働することによって、冷媒は蒸発器３１の外側を通過する空気流から熱を奪い蒸発するという冷却作用を発揮するので、蒸発器３１の表面は露点温度以下に冷却され、そこを通過する空気中の水分が蒸発器３１の表面に結露することになる。
【００５８】
（３−３）結露水の収集
蒸発器３１に結露した水（結露水）は、伝熱フィン３１１を伝って降下し、第２ドレンパン５２の導水面５０ａ上に落下する。第１水受面５０ａａは蒸発器３１の下端と、第２水受面５０ａｂは凝縮器３７の下端のうちの蒸発器３１寄りの下端に近接しており、さらに、凝縮器３７側に向って徐々に高さ位置が低くなるように傾斜しているので、結露水は凝縮器３７側に流れて凝縮器３７の下端に接触したのち下方の第２流路５２ａへ流れ落ちていく。
【００５９】
なお、第２水受面５０ａｂに到達した結露水を凝縮器３７の一部と確実に接触させるために、第２水受面５０ａｂのうち凝縮器３７に最も近い面と凝縮器３７との高さ隙間が、５ｍｍ（好ましくは３ｍｍ）以下に規定されている。
【００６０】
結露水は、周囲空気の露点温度よりも低い温度になっているが、凝縮器３７の下端の一部と接触したことによって温度上昇している。したがって、第２流路５２ａへ流れ落ちていく結露水は、周囲空気の露点温度よりも高い温度になっている。
【００６１】
結露水は、第２流路５２ａの斜面に沿って、一旦は空気流Ｆと直交する左右方向の端部に向って流れ、端部から第１ドレンパン５１の第１流路５１ａ上に落下する。
【００６２】
第１流路５１ａは、左右に離れた両端部から中央の排水口５１０に向って下方に傾斜しているので、第１流路５１ａ上に落ちた結露水は排水口５１０に向かって流れていく。
【００６３】
図３に示すように、排水口５１０は貯水タンク６０の蓋６３の上方に臨んでいるので、結露水は排水口５１０を通って蓋６３上に落下する。蓋６３のほぼ中央には入水口６３ａが設けられており、入水口６３ａの周囲は入水口６３ａに向って高さが徐々に低くなるように傾斜しているので、蓋６３上に滴下した水はその傾斜により入水口６３ａに向って流れ、入水口６３ａから貯水タンク６０内に流入し貯められる。
【００６４】
貯水タンク６０に貯められる結露水は、導水路５０のうちの導水面５０ａ上で凝縮器３７の下端と接触して温度上昇しているので、その温度は貯水タンク６０の周囲空気の露点温度より高くなっており、容器６１の壁面が結露水に冷却されて結露するという事態は防止される。
【００６５】
なお、仮に、結露水が第２水受面５０ａｂ上で凝縮器３７の一部と接触することができず温度上昇しなかった場合でも、第２流路５２ａがその中央を頂点として左右に離れた両端部に向って下方に傾斜する逆Ｖ字状に成形されていることにより、第２流路５２ａに落下した結露水は、一旦、排水口５１０から遠ざかる方向に流れた後に、第１ドレンパン５１の第１流路５１ａの両端部に落ちる。さらに、第１流路５１ａは、中央下部に設けられた排水口５１０より左右に離れた両端部から排水口５１０に向って下方に傾斜するＶ字状に成形されている。その結果、結露水が導水面５０ａの第１水受面５０ａａに落ちてから排水口５１０に至るまでの距離が長くなる、つまり導水路５０が長くなり、導水路５０を移動中に結露水の温度が上昇するので、貯水タンク６０に到達したときには、結露水の温度は周囲空気の露点温度付近まで上昇しており、貯水タンク６０の壁面に結露するようなことが抑制される。
【００６６】
（４）特徴
（４−１）
除湿機１０では、結露水が導水路５０に導かれて、一旦、凝縮器３７に向かい温度上昇した後、貯水タンク６０に貯まるので、貯水タンク６０の壁面が結露水で冷却されることが抑制される。その結果、貯水タンク６０の壁面に結露することも抑制される。
【００６７】
（４−２）
結露水は導水路５０の導水面５０ａに導かれて、凝縮器３７に向かいその一部と接触して温度上昇した後、貯水タンク６０に貯まるので、貯水タンク６０の壁面がその周囲の露点温度以下になることが防止される。その結果、貯水タンク６０の壁面に結露する事態が回避される。
【００６８】
（４−３）
導水面５０ａの第１水受面５０ａａに落下した結露水は第２水受面５０ａｂに向い、その上で凝縮器３７の一部と接触して温度上昇する。したがって、第２水受面５０ａｂも温度上昇し第１水受面５０ａａに伝熱されるので、第２ドレンパン５２の縦壁５２１，５２３，５２５の結露も防止される。
【００６９】
（４−４）
導水路５０が、凝縮器３７の下方、又は凝縮器３７を挟んで蒸発器３１とは反対側の斜め下方に結露水を排水する経路構成であるので、蒸発器３１で生じた結露水は必然的に凝縮器３７へ向うことになる。
【００７０】
（４−５）
第２水受面５０ａｂのうち凝縮器３７に最も近い面と凝縮器３７との高さ隙間が、５ｍｍ（好ましくは３ｍｍ）以下に規定されることによって、第２水受面５０ａｂに到達した結露水を凝縮器３７の一部と確実に接触させることができる。
【００７１】
（５）変形例
（５−１）第１変形例
凝縮器３７において、過冷却液冷媒が流れる伝熱管３７３をどのように引き回すのかによって、凝縮器３７に接触した結露水の温度上昇の度合いが異なる。
【００７２】
例えば、図５において最下段にある伝熱管３７３に過冷却液冷媒を流す方が、冷凍サイクルの効率が向上する効果が得られる。
【００７３】
（５−２）第２変形例
上記実施形態では、導水路５０の距離を長くするため、図５に示すように、第２ドレンパン５２の第２流路５２ａはその中央を頂点として左右に離れた両端部に向って下方に傾斜する逆Ｖ字状に成形されており、第１ドレンパン５１の第１流路５１ａは中央下部に設けられた排水口５１０より左右に離れた両端部から排水口５１０に向って下方に傾斜するＶ字状に成形されている。
【００７４】
しかし、導水路５０を長くする手段は、上記の方法に限定されるものではなく、例えば、第２流路５２ａが、蒸発器３１から落下した結露水を、一旦、排水口５１０から視て前後方向に導く方法でもよい。以下、図面を参照しながら第２変形例に係る除湿機１１０について説明する。
【００７５】
図７は、第２変形例に係る除湿機１１０の縦断面図である。図７において、除湿機１１０と、図３に示す除湿機１０との違いは、第２ドレンパン５２の第２流路５２ａが［第２流路１５２ａ］に変更され、第１ドレンパン５１の第１流路５１ａが［第１流路１５１ａ］に変更された点である。その他の構成は図３に示す除湿機１０と同様であるので、説明は省略する。
【００７６】
図７に示すように、第２ドレンパン５２の第２流路１５２ａは凝縮器３７の下方から蒸発器３１の下方に向って傾斜するように成形されている。このため、結露水は排水口５１０から離れるように前後方向に流れたのち、第１ドレンパン５１の第１流路１５１ａの上流側端部に落下する。
【００７７】
第１流路１５１ａは、中央下部に設けられた排水口５１０より左右に離れた両端部から排水口５１０に向って下方に傾斜するＶ字状に成形されている点では図３の第１流路５１ａと同じであるが、その傾斜角を図３の第１流路５１ａよりも緩やかにし、結露水が排水口５１０に集まり難くしている点で異なる。
【００７８】
上記のような構成によって、結露水が導水面５０ａの第１水受面５０ａａに落ちてから排水口５１０に至るまでの距離が長くなる、つまり導水路５０が長くなり、導水路５０を移動中に結露水の温度が上昇するので、貯水タンク６０に到達したときには、結露水の温度は周囲空気の露点温度付近まで上昇しており、貯水タンク６０の壁面に結露するようなことが抑制される。
【産業上の利用可能性】
【００７９】
本発明によれば、結露水による貯水タンク６０の結露が防止されるので、蒸気圧縮式冷凍サイクルを利用した除湿機に有用である。
【符号の説明】
【００８０】
１０  除湿機
３１  蒸発器
３７  凝縮器（放熱器）
５０  導水路
５０ａａ  第１水受面
５０ａｂ  第２水受面
５２  第２ドレンパン
６１  貯水タンク
【先行技術文献】
【特許文献】
【００８１】
【特許文献１】実開平５−７９３２５号公報
【図１】
0005644891.tif 000002
【図２】
0005644891.tif 000003
【図３】
0005644891.tif 000004
【図４】
0005644891.tif 000005
【図５】
0005644891.tif 000006
【図６】
0005644891.tif 000007
【図７】
0005644891.tif 000008